(57)【要約】 本発明は、各種実施形態において、マットレス用コーナーブロック（１００）に関する機器、システム、および方法に関し、コーナーブロックは、マットレスのコーナーを補強するために使用され、共通の頂点（１２４）から延びる第１および第２の脚（１０２、１０４）を備える。
2009531144.tif 000002
【特許請求の範囲】
【請求項１】
マットレスのコーナーを矩形化するためのコーナーブロックであって、
それぞれ内端および外末端を有する第１および第２の脚であって、前記第１の脚は、前記第２の脚に対する角度で前記第２の脚の内端から延び、両方の脚が内面および外面を含み、前記第１および第２の脚の内面が移行部において交差し、前記移行部が、マットレスフレームのコーナーの周りに適合するような大きさおよび形状であり、前記第１および第２の脚の外面が、角の頂点において交差し、前記第１および第２の脚が、前記頂点から前記各脚の末端へ前記各脚の外面に沿って計測された、４インチと約１０インチとの間の高さ、および、約４インチと約１０インチとの間の長さをそれぞれ有する第１および第２の脚を備える、コーナーブロック。
【請求項２】
前記コーナーブロックが、形状弾性ポリマー材料から形成されている、請求項１に記載のコーナーブロック。
【請求項３】
マットレスフレームのコーナーの周りに適合するように、前記移行部が湾曲している、請求項１に記載のコーナーブロック。
【請求項４】
前記角度が約９０度である、請求項１に記載のコーナーブロック。
【請求項５】
前記長さが、約４インチと約６インチとの間である、請求項１に記載のコーナーブロック。
【請求項６】
前記高さが、約４インチと約６インチとの間である、請求項１に記載のコーナーブロック。
【請求項７】
前記ポリマー材料が、約１８キログラム／メートル３と約２８キログラム／メートル３との間の密度を有する、請求項２に記載のコーナーブロック。
【請求項８】
前記第１および第２の脚が互いに一体的に形成されている、請求項１に記載のコーナーブロック。
【請求項９】
前記第１および第２の脚の外面が交差する角の頂点から前記湾曲した移行部の交差が、約１／２インチと約２インチとの間である距離を有する、請求項１に記載のコーナーブロック。
【請求項１０】
前記第１および第２の脚の外面が交差する角の頂点から前記湾曲した移行部の交差の距離が、約１インチと約２インチとの間である距離を有する、請求項１に記載のコーナーブロック。
【請求項１１】
前記第１および第２の脚が、約１／４インチと約２インチとの間の厚みを有する、請求項１に記載のコーナーブロック。
【請求項１２】
前記第１および第２の脚が、約１／２インチと約１インチとの間の厚みを有する、請求項１に記載のコーナーブロック。
【請求項１３】
前記第１および第２の脚が、前記各脚の内端から前記各脚の末端へ減少する厚みを有する、請求項１に記載のコーナーブロック。
【請求項１４】
前記第１および第２の脚の外面が第１および第２部をそれぞれ含み、前記各脚の第１部が互いにほぼ直角で前記頂点から延び、前記各脚の第２部が、各脚の各第１部の末端から前記各第１部の各軸に対して内向きに角度付けされた軸に沿って延びる、請求項１に記載のコーナーブロック。
【請求項１５】
前記第１および第２の脚の内面が、マットレスフレームのコーナーに適合するサイズと形状の切り出された部分を含む、請求項１に記載のコーナーブロック。
【請求項１６】
前記ブロックが、ポリウレタン、ポリスチレン、ポリマー、木、金属、ポリウレタンフォーム、粘弾性フォーム、ラテックス、ポリエチレンフォーム、ポリスチレン、段ボール、セルロース、木、ワイヤ、プラスチック成型部、ポリプロピレン、およびアクリロニトリル・ブタジエン・スチレン（ＡＢＳ）からなるグループから選択された材料を備える、請求項１に記載のコーナーブロック。
【請求項１７】
マットレスフレームと、
それぞれが内端および末端を有する第１および第２の脚を有する少なくとも１つのコーナーブロックであって、前記第１の脚が、前記の第２の脚に対する角度で前記第２の脚の内端から延び、両方の脚が内面および外面を含み、前記第１および第２の脚の内面が、移行部において交差しており、前記移行部が、前記マットレスフレームのコーナーの周りに適合するようなサイズと形状であり、前記第１および第２の脚の外面が、角の頂点において交差し、前記第１および第２の脚が、前記各脚の外面に沿って各脚の頂点から末端に至って計測された、約４インチと約１０インチとの間の高さ、および約４インチと約１０インチとの間の長さをそれぞれ有するコーナーブロックと、を備えるマットレス。
【請求項１８】
前記コーナーブロックが、形状弾性ポリマー材料から形成されている、請求項１７に記載のマットレス。
【請求項１９】
前記移行部が、マットレスフレームのコーナーの周りに適合するように湾曲している、請求項１７に記載のマットレス。
【請求項２０】
前記コーナーブロックが、側壁によって接続された少なくとも２つのコーナーブロックを有するコーナーブロックアセンブリを含む、請求項１７に記載のマットレス。
【請求項２１】
前記マットレスがベビーベッドマットレスである、請求項１７に記載のマットレス。
【請求項２２】
コーナーブロックをマットレスフレームの湾曲したコーナーに取り付ける工程であって、前記コーナーブロックが、前記湾曲したコーナーの周りに適合するための、かつ前記湾曲したコーナーを実質的に矩形コーナーに変形させるための、サイズと形状である工程と、
前記コーナーブロックを含むマットレスをマットレス布張りで覆う工程と、を含むマットレスを製造する方法。
【請求項２３】
前記マットレスをポリマーバッグに挿入する工程と、
前記バッグ内の圧力を充分に下げて前記マットレスを圧縮する工程と、
前記マットレスが圧縮された状態である間に、マットレスの上でマットレスカバーをスライドし、かつ前記マットレスカバーを永久に閉じる工程と、を含む、請求項２２に記載の方法。
【請求項２４】
前記マットレスカバーを永久に閉じる前に、前記ポリマーバッグを取り除く工程を含む、請求項２３に記載の方法。
【請求項２５】
前記ポリマーバッグを前記マットレスカバー内に残す工程を含む、請求項２３に記載の方法。
【請求項２６】
コーナーブロックを取り付ける工程が、側壁によって接続された複数のコーナーブロックを有するコーナーブロックアセンブリを取り付ける工程を含む、請求項２２に記載の方法。
【発明の詳細な説明】
【技術分野】
【０００１】
発明の詳細な説明
本発明は概ねマットレスに関する。さらに詳細には、さまざまな実施形態において、本発明は、マットレスに補強した矩形コーナーを提供するコーナーブロック、そのようなコーナーブロックを有するマットレス、およびそのようなコーナーブロックを採用するマットレスを製造する方法に関する。
【背景技術】
【０００２】
通常、マットレスは、補強していない丸いコーナーを概ね有する。ベビーベッドのフレームに設置されると、通常のマットレスコーナーでは、ベビーベッドのフレームとベビーベッドのマットレスのコーナーとの間に、幼児が腕や脚など手足を引っかけることでけがをすることがある。
【０００３】
さまざまな先行技術の方法が、このようなことが生じる可能性を低くするために採用されてきた。例えば、ベビーベッドバンパーが採用されている。通常は、ベビーベッドバンパーは、ベビーベッドマットレスの周囲に沿って付いていて、マットレスおよびベビーベッド側部の間に上方に延びる。バンパーの欠点は、マットレスのコーナーからしばしばこれが引き離されて、マットレスコーナーおよびベビーベッドフレームのコーナーの間にギャップが残ることである。別の先行技術の方法は、その周囲に沿って上方に延びて一体化したバンパーを提供するマットレスを採用する。しかしそのようなマットレスは、製造するのが非常に複雑であり得る。
【０００４】
従って、改善されたベビーベッドマットレス用の構造についての必要がある。
【０００５】
発明の要旨
本発明は、種々の実施形態において、マットレスのコーナーを矩形化するためのコーナーブロックを提供することで先行技術における欠点に対処する。別の実施形態において、本発明は、本発明のコーナーブロックを採用するマットレスおよびそのようなマットレスを製造する方法を提供する。実施形態によっては、本発明のマットレスがベビーベッドマットレスとして採用されるものもある。このようなベビーベッドマットレスの利点は、ベビーベッドフレームのコーナーの内部でより良く適合して、マットレスのコーナーとベビーベッドフレームのコーナーとの間に、幼児が手足を引っかけることを防止するということである。
【０００６】
１つの局面によると、本発明は、ポリウレタンフォーム、粘弾性フォーム、ラテックス、ポリエチレンフォーム、ポリスチレン等の形状弾性ポリマー材料から、または段ボール、木、金属、ワイヤ、プラスチック成型部、ポリプロピレン、およびアクリロニトリル・ブタジエン・スチレン（ＡＢＳ）から、形成されたコーナーブロックを提供する。１つの実施において、ポリマー材料は約２３キログラム／メートル３（kilogram/meter３）の密度を有する。別の実施において、ポリマー材料は、約１８キログラム／メートル３と約２８キログラム／メートル３との間の密度を有する。別の実施において、ポリマー材料は、約２０キログラム／メートル３と約２６キログラム／メートル３との間の密度を有する。別の実施形態において、本発明のコーナーブロックは、所望の適用に応じて任意の好適な材料から形成されてもよい。
【０００７】
コーナーブロックは、互いに対する角度で頂点から延びる第１および第２の脚を含む。各脚は、（例えばフレーム接触する）内面および外面を含む。１つの構成において、第１および第２の脚の外面は実質的に直角で交差する。１つの実施形態において、第１および第２の脚の外面の交差から各脚の末端へと計測して、各脚は約４１/２インチ長である。別の実施形態によると、第１および第２の脚は、４１/２インチ高である。代替の実施形態によると、各脚は約５インチ高である。別の構成においては、コーナーブロックの脚は、約４インチと約１０インチ長との間、および約４インチと１０インチ高との間である。代替の構成において、コーナーブロックの脚は、約４インチと約６インチ長との間である。別の構成においては、コーナーブロックの脚は、約４インチと約６インチ高との間である。
【０００８】
別の特徴によると、脚は、内面から外面へ測定して、約１／４インチと約１１/２インチ厚との間である。実施形態によっては、第１および第２の脚の外面が、第１および第２部をそれぞれ含むものもある。各脚の第１部は、頂点から互いにほぼ直角に延び、各脚の第２部は、各脚の各第１部の末端から、各第１部の各軸に対して内向きに角度付けされた軸に沿って延びる。
【０００９】
構成によっては、第１および第２の脚の内面が移行部において交差するものもある。１つの特徴によると、移行部は、コイルスプリングマットレスフレームのコーナーの周囲に適合（ｉｎｔｅｒｆｉｔ）するようなサイズと形状である。別の特徴によると、このような適合をさらに容易にするために移行部が湾曲されていてもよい。１つの実施形態において、外面の交差の角の頂点（ｖｅｒｔｅｘ）と移行部のカーブの頂部（ａｐｅｘ）との間の距離が、約３／４インチと約１１/２インチとの間である。
【００１０】
実施形態によっては、第１および第２の脚の内面の一部が、切り出しされてコイルスプリングマットレスフレームのコーナーを受けるようにしているものある。このような実施形態の１つの特徴によれば、切り出しは、フレームのコーナーに適合されたとき、脚の上部および下部が、マットレスフレームの上側および下側に重なって、フレームへコーナーブロックを容易に取り付けできるようなサイズと形状であり得る。
【００１１】
別の局面によると、本発明は、本発明のコーナーブロックを採用するマットレスに関する。１つの実施形態において、マットレスはコイルスプリングフレームを含む。コイルスプリングは、ポケット型であってもなくてもよい。ポリマーフォーム材料をフレームの短端に取り付ける前か後のいずれかに、コーナーブロックはフレームの各コーナーに取り付けられる。本発明のマットレスは、その後、任意の好適な方法で、さらに組み立てられてもよい。各種の構成によると、マットレスは、限定されないが、シングル、ダブル、フル、クィーン、キング、カリフォルニアキング、またはベビーベッドサイズを含む任意のサイズであってよい。
【００１２】
別の実施形態によると、難燃材を取り付けた後、マットレスは圧縮バッグ内に置かれる。マットレスをそのように置いて、圧縮バッグが真空引きされてこれを圧縮する。圧縮には、マットレスフレームのコイルスプリングの圧縮が含まれる。マットレスをそのように圧縮して、最終的なマットレスカバーに挿入される。カバーはその後、任意の好適な機構によって閉じられ得る。所望により、圧縮バッグはマットレスカバーを閉じる前に取り除かれてもよい。例えば圧縮バッグは、耐水ポリマーから作製されマットレス上に残されて、使用中偶発的に体液に晒されることから、マットレスの内部を遮蔽するようにしてもよい。
【００１３】
本発明の別の特徴および利点をさまざまな例示の実施形態を鑑みて以下に記載する。
【００１４】
例示の説明
上記要旨のように、本発明は、マットレスに実質的に矩形コーナーを形成することに関連する種々の例示の実施形態、機器、システム、および方法を提供することによって先行技術における欠点に対処する。種々の実施に従って、異なった風に湾曲した／丸みを帯びた、マットレスフレームのコーナーに取り付けるためのコーナーブロックを本発明は提供する。本発明のコーナーブロックの１つの利点は、マットレスフレームが作製される工程を変更する必要なく、通常のマットレスフレームのコーナーに適用することができるということである。別の利点は、（丸みを帯びたコーナーではなく矩形のコーナーを有して形成される必要がある）外側マットレスカバーを除いて、他の構成要素であって、マットレスフレームをカバーする、包む、または別に取り付ける、他の構成要素を改変する必要なく、本発明のコーナーブロックが、マットレスフレームのコーナーに取り付けられることが可能であるということである。さらに別の利点は、端部フォームパッドがマットレスフレームの短端に取り付けられるのと同時に、本発明のコーナーブロックがマットレスフレームに取り付けられることができるということである。上記のように本発明の別の利点は、ベビーベッドマットレスに採用されて、マットレスのコーナーおよびベビーベッドフレームのコーナーの間に、幼児が手足を引っかける可能性を減らすことができるということである。
【００１５】
図１Ａ−１Ｄは、本発明の例示の実施形態に従ったコーナーブロック１００の種々の図面を示す。これらの図を参照すると、端部ブロック１００は、第１の脚１０２および第２の脚１０４を含む。第１の脚１０２は、内端１０６および末端１０８を有する。これは、内面１１０および外面１１２も有する。外面は、第１部１１２ａおよび第２部１１２ｂを有する。同様に第２の脚１０４は、内端１１４および末端１１６を有する。これは、内面１１８および外面１２０も有する。外面は、第１部１２０ａおよび第２部１２０ｂを有する。
【００１６】
第１の脚１０２および第２の脚１０４の内面１１０および１１８は、それぞれ移行部１２２で交差する。図示のように移行部１２２は湾曲していることがあるが、これはそのようにある必要はない。図２Ｂおよび２Ｃでさらに詳細に示すように、
移行部１２２は、丸みを帯びたかまたは別に非矩形のマットレスフレームのコーナーに適合し、かつこれをカバーするサイズと形状である。このような特定の実施形態において、マットレスフレームは、ベビーベッドマットレスフレームである。しかし、本発明による適切なサイズおよび形状のコーナーブロックは、例えば、シングル、ダブル、フル、クィーン、キング、およびカリフォルニアキングサイズマットレスフレームを含む任意のサイズのマットレスフレームにも適用されてもよい。
【００１７】
第１の脚１０２および第２の脚１０４の外面１１２および１２０は、コーナー／頂点において互いに対する角度でそれぞれ交差する。例示の実施形態によると、第１の脚１０２および第２の脚１０４の外面１１２および１２０は、実質的に直角（すなわち９０度）で交差して、実質的に矩形コーナー１２４を形成する。図１の例示の実施形態において、頂点（ｖｅｒｔｅｘ）１２４および湾曲した移行部１２２の頂部（ａｐｅｘ）１２３の間の距離１２５は約１インチである。しかし距離１２５は、適合する特定のマットレスフレームコーナーのサイズによって、任意の適切な大きさを有することができる。例えば、別の例示の実施形態において、距離１２５は約１／２インチから約２インチの範囲である。
【００１８】
図１Ａに示すように、例示のコーナーブロック１００の第１の脚１０２は、頂点１２４および末端１０８の間の外面１１２に沿って計測すると、約４１/２インチの長さ１２６を有する。しかし別の実施形態においては、長さ１２６は、任意の特定のマットレスフレームのための任意の適切な長さであることができる。例示の実施形態によっては、長さ１２６が約６インチから約１２インチの範囲であるものもある。別の例示の実施形態において、長さ１２６は、約４インチから約１０インチの範囲である。また図１Ａに示すように、外面１１２の第１部１１２ａは、頂点１２４から軸１２８に沿って延びる。例示の第１の脚１１２の第１部１１２ａは、約２インチの長さ１３０を有する。しかし、適合するサイズと形状の特定のマットレスフレームコーナーによって、任意の適切な長さを有してもよい。１つの例示の実施形態において、長さ１３０は約１インチと約６インチとの間である。別の例示の実施形態においては、長さ１３０は、約１インチから約４インチの範囲である。外面１１２の第２部１１２ｂは第１部１１２ａから延びる。例示の実施形態において、第２部１１２ｂは、第１部１１２ａの軸１２８から内側に角度付けされた軸１３２に沿って延びる。しかしこうである必要はない。例示の実施形態によると、第２部１１２ｂは、約２１/２インチの長さ１３４を有する。しかし第２部１１２ｂは、適合するサイズと形状の特定のマットレスフレームコーナーに応じて、任意の適切な長さ１３４のものであってもよい。１つの例示の実施形態において、長さ１２４は約１インチから約６インチの範囲である。別の例示の実施形態において、長さ１２４は約１インチから約４インチの範囲である。
【００１９】
１つの実施において、第１の脚１０２は、約１／４インチと約４インチとの間の幅／厚みを有する。しかし別の実施において幅１３６は、約１／４インチと約２インチとの間である。例示の実施形態によると、軸１２８に対する軸１３２の角度によって、幅１３６は、脚１０２の内端１０６に近い約１インチから脚１０２の末端１０８における約１／４インチに変わる。しかし別の例示の実施形態において、軸１２８は軸１３２と同軸であってもよく、それにより脚１０２の幅１３６はその長手に沿って実質的に均一となる。
【００２０】
図１Ｂから１Ｄにさらに明確に示すように、コーナーブロック１００が、オープンコイルマットレスフレームのコーナーに適合するようなサイズと形状である場合に、第１の脚１０２は、約５インチの高さ１３８を有し、コーナーブロック１００が、ポケット型コイル（ｐｏｃｋｅｔｅｄ  ｃｏｉｌ）マットレスフレームのコーナーに適合するようなサイズと形状である場合は、約４１/２の高さである。しかし、コーナーブロック１００が他の寸法である場合には、コーナーブロック１００が適合するようなサイズと形状の特定のマットレスフレームコーナーに応じて、高さ１３８は任意の適切な寸法であってもよい。例えば別の例示の実施形態において高さ１３８は、約３インチと約１２インチとの間である。
【００２１】
例示の実施形態によると、第１の脚１０２および第２の脚１０４は類似の寸法のものであり、対称であっても対称でなくてもよい。さらに詳細には、例示のコーナーブロック１００の第２の脚１０４は、頂点１２４および末端１１６の間の外面１２０に沿って測ると、約４１/２インチの長さ１４０を有する。しかし別の例示の実施形態において長さ１４０は、任意の特定のマットレスフレームのための任意の適切な長さであってもよい。例示の実施形態によっては、長さ１４０が約６インチから約１２インチの範囲であるものもある。別の例示の実施形態において、長さ１４０は、約４インチから約１０インチの範囲である。また図１Ａに示すように、外面１２０の第１部１２０ａは、頂点１２４から軸１４２に沿って延びている。例示の第１の脚１２０の第１部１２０ａは、約２インチの長さ１４４を有する。しかし、適合するサイズと形状の特定のマットレスフレームコーナーに応じて、これは任意の適切な長さを有してもよい。１つの例示の実施形態において、長さ１４４は約１インチと約６インチとの間である。別の例示の実施形態において長さ１４４は、約１インチから約４インチの範囲である。外面１２０の第２部１２０ｂは第１部１２０ａから延びている。例示の実施形態によると、第２部１２０ｂは、第１部１２０ａの軸１４２から内側に角度付けられた軸１４６に沿って延びる。しかしそうある必要はない。例示の実施形態によると、第２部１２０ｂは、約２１/２インチの長さ１４８を有する。しかし第２部１２０ｂは、適合するサイズと形状の特定のマットレスフレームコーナーに応じて、任意の適切な長さ１４８であってもよい。１つの例示の実施形態において長さ１４８は、約１インチから約６インチの範囲である。別の例示の実施形態において長さ１４８は、約１インチから約４インチの範囲である。
【００２２】
１つの実施において第２の脚１０４は、約１／４インチと約２インチとの間の幅／厚み１５０を有する。しかし別の実施において、幅１５０は約１／４インチと約２インチとの間の範囲である。例示の実施形態によると、軸１４２に対する軸１４６の角度によって、脚１０４の内端１１４に近い約１インチから脚１０４の末端１１６における１／４インチに幅１５０が変化する。しかし別の例示の実施形態において軸１４６は、軸１４２と同軸であってもよく、これにより脚１０４の幅１５０がその長さに沿って実質的に均一となる。
【００２３】
図１Ｂから１Ｄに最も明確に示すように、第２の脚１０４は、コーナーブロック１００がオープンコイルマットレスフレームのコーナーと適合するサイズと形状である場合には、約５インチの高さ１５２を、コーナーブロック１００がポケット型コイルマットレスフレームのコーナーと適合するサイズと形状である場合には、約４１/２インチの高さ２５２を有する。しかし、コーナーブロック１００について別の大きさの場合は、コーナーブロック１００が適合するようなサイズと形状にされた特定のマットレスフレームに応じて、高さ１５２は任意の適切な寸法であってよい。例えば、別の例示の実施形態においては、高さ１５２は、約３インチと約１２インチとの間である。
【００２４】
例示の実施形態によると、内面１１０および１１８は実質的に平坦である。しかし図１Ｄに示すように、内面１１０および１１８は、マットレスフレームのコーナーによりよく適合するようにカットアウト１５４を含んでもよい。さらに詳細には、カットアウト１５４は、マットレスフレームのコーナーの上側を覆って延びるための突出部１５６、およびマットレスフレームのコーナーの底側を覆って延びるための突出部１５８を提供する。突出部１５６および１５８によって、コーナーブロック１００の上部および底をマットレスフレームへホッグリング等によって容易に取り付けることができるようになる。
【００２５】
１つの例示の実施形態によると、コーナーブロックはポリマーフォームコアから形成される。１つの実施において、これは約２３キログラム／ｍ３の密度、および約３／４ミリメートルと約１１/４ミリメートルとの間のセルサイズを有する。しかしコーナーブロック１００は、限定されないが、充分な剛性を有して外面１１２および１２０の交差部１２４の矩形性を維持できる任意の適切なポリマープラスチックを含む任意の材料から作製されてもよい。コーナーブロック１００の材料の所望の特性は、充分な形状弾力性を有し、例えばパッケージングおよび／または出荷中に圧縮または他に変形されても、実質的にその矩形形状に戻ることができることでもある。
【００２６】
実施形態によっては、コーナーブロック１００が単体材料から形成されるものもある。しかし別の実施形態においては、脚１０２および１０４は、任意の適切な機構によって共に取り付けられてもよい。
【００２７】
別の例示の実施形態によると、実質的に矩形コーナーを提供する本発明の１以上のコーナーブロックを採用するマットレスを本発明は提供する。別の例示の実施形態において本発明は、本発明の１以上のコーナーブロックを採用するマットレスを製造する方法を提供する。例示のマットレスおよび製造方法を、マットレスおよびマットレスフレームの観点から図２Ａ−２Ｉに関して以下に記載するが、本発明のコーナーブロック１００は、任意の好適なマットレスおよびマットレスフレームとの使用に際する寸法と形状であってもよいことに注意すべきである。
【００２８】
図２Ａを参照すると、端部フォーム２００ａが、コイルスプリングマットレスフレーム２０４の短端２０２ａに取り付けられている。通常のやり方によると、取り付けはホッグリングによる。図２Ｂに示すように、本発明のコーナーブロック１００ａは、その後、第１の脚１０２が端部フォーム２００に重なって、かつ第２の脚１０４がフレーム２０４の長縁２０８ａの一部に沿って延びつつ、コイルスプリングフレーム２０４のコーナー２０６ａと適合する。コーナーブロック１００はその後、第１の脚１０２の上部１０２ａおよび底１０２ｂに沿って、ならびに第２の脚１０４の上部１０４ａおよび底１０４ｂに沿って適所にホッグリング留めされる。図２Ｃに示すように、同じ方法が使用されて、それぞれ残りのコーナー２０６ｂ−２０６ｄにコーナーブロック１００ｂ−１００ｄを、別の短端２０２ｂに端部フォーム２００ｂを、取り付ける。図２Ｃにも示すように、取り付けられた端部フォームおよびコーナーブロックを有するマットレスフレーム２０４はその後、通常の合成繊維パッド２１０に置かれる。図２Ｄに示すように、マットレスフレーム２０４は、その後、端部フォーム２００ａおよび２００ｂを露出したままで、繊維パッド２１０に包まれる。繊維パッド２１０は、通常のホッグリング法を使用して固定される。図２Ｅに示すように、マットレスはその後、上面２１２ならびに両短端２０２ａおよび２０２ｂにおいては、通常の布張り２１４で覆われ、またホッグリングで固定され、マットレスの長側２０８ａおよび２０８ｂならびに底は布張り２１４で覆われないままである。図２Ｆに示すように、マットレスはその後、通常の難燃材２１６に包まれ、両短端２０２ａおよび２０２ｂにおいて布張り２１４が露出されたままホッグリングで固定もされる。
【００２９】
図２Ｇに示すように、マットレスはその後、実質的に真空引きされてマットレスを圧縮するポリマーバッグ２１８に挿入される。また図２Ｈに示すように、マットレスはその後、圧縮された状態のままで外部カバー２２０に挿入される。圧縮された状態であることで、マットレスは、カバー２２０を破るかまたは他に損傷するリスク無しに、カバー２２０に容易に挿入されることができる。マットレスカバー２２０は、その後、縫い合わせおよび／または接着等の任意の好適な技術を使用して閉じられる。
【００３０】
真空引きバッグ２１８は、マットレスをカバー２２０の中に挿入した後開封されてもよい。実施形態によっては、バッグ２１８は、カバー２２０を閉じる前に開封されて取り除かれるものある。別の実施形態においては、バッグ２１８は、カバー２２０を閉じる前に開封されるが、カバー内に残されて、例えば、使用中偶発的に体液に晒されることに対してマットレスのコア部材にさらに保護を与える。さらに別の実施形態では、バッグ２１８は密封されたままであり、他方でカバー２２０は閉じらていて、閉じた後に開封されるか、例えばバッグ２１８の材料／構造の多孔性により経時的にゆるやかに膨張するままにされるかのいずれかである。
【００３１】
次に図３を見ると、本発明の代替の実施形態が示されており、２つのコーナーブロック要素を含む、典型的にはヘッダー部またはフッター部である側面部が提供されている。特に図３は、２つのコーナーブロック３０２および３０４を含むコーナーブロック３００を示す。コーナーブロック３０２および３０４は、２つのブロック３０２および３０４を接続するブリッジ３０８によって接合されている。各コーナーブロック３０２および３０４は、内側曲面３１２および側方アーム部３１０を含む。図３に示す実施形態において、コーナーブロックアセンブリ３００は、マットレスの側方の上でスライドされることで、マットレスコーナーの２つにおいてコーナーブロックを提供することができる。コーナーブロックアセンブリ３００の大きさは、適用に応じて変えることができ、１つの実施形態においてコーナーブロックアセンブリ３００は、コーナーブロックアセンブリ３００が、マットレスのヘッドまたはフットの上をスライドできる適切な大きさを有することができる。しかし代替の実施形態においては、コーナーブロックアセンブリ３００は、コーナーブロックアセンブリ３００がマットレスの側方の上をスライドできるのに適切な大きさを有することで、マットレスのヘッドおよびフットにおいてコーナーブロックを提供することができる。コーナーブロックアセンブリ３００は、図１および２に示すコーナーブロックアセンブリ実施形態で使用されたもののような材料で製作されてよい。同様に、コーナーブロック３０２および３０４の壁厚および高さは、図１Ａおよび１Ｂに示したコーナーブロックの壁厚および高さと同様であってよい。さらには、コーナーブロック３０２および３０４、ならびにアーム３０８および側方アーム３１０は、図１Ｄに示したリップと同様のリップを含むことができる。このようなリップを追加することで、コーナーブロックアセンブリ３００がマットレスの上面をおよび下面に係合することができる。
【００３２】
マットレスに対して一旦係合すると、マットレスは、図２Ａ−２Ｆに示したように組み立てられて、図に示しもしたように所望により圧縮されることができる。
【００３３】
図面を見ると、コーナーブロックのさらに代替の実施形態が示されている。特にコーナーブロックアセンブリ３２０は、図４において４つのコーナーブロック要素３２２、３２４、３２８、および３３０を有して示されている。このようなコーナーブロック要素は、ブリッジアーム３３４、３３８、３４０、および３４２によって接合されている。コーナーブロックおよびブリッジアームは、マットレスが挿入され得る内部空洞３３２を有する周囲側壁を形成する。この実施形態において、コーナーブロックアセンブリ３２０は、単一のアセンブリ３２０によってマットレスに取り付けられ得る４つのコーナーブロックを提供する。一旦取り付けられると、マットレスは図２Ａ−２Ｄに示すように組み立てられることができる。上記のようにコーナーブロックアセンブリならびに側壁３３４、３３８、３４０、および３４２は、マットレスの上面および下面に対して当接し、所望により摩擦的にこれらと係合するリップ要素を含むことができる。コーナーブロックアセンブリ３２０は、図１ＡおよびＢに示したコーナーブロックアセンブリを参照して、上記の材料で作製されてよく、コーナーブロックアセンブリの壁厚および高さは、図１Ａおよび１Ｂに示したコーナーブロックの壁厚および高さと同様であってよい。側壁３３４、３３８、３４０、および３４２は、任意の適切な材料で作製されてよく、所望により側壁内にカットアウト（図示せず）を有して側壁の剛性を制御し、材料のコストを削減してもよい。
【００３４】
特許請求の範囲によって規定された本発明から逸脱することなく、例示の実施形態に別の修正がなされてもよいことに注意すべきである。例示として、本発明のコーナーブロックは、任意の好適な材料から任意の好適な大きさで作製されてよい。さらに本発明のマットレスは、任意の好適な大きさのもので、コイルスプリングであろうがなかろうが、ポケット型であろうがなかろうが、任意の好適なマットレスフレームを採用してもよい。さらに製造方法は、コーナーブロックが含まれる製作工程のどの点におけるかにかかわらず、かつコーナーブロックが、マットレスフレームのすぐ隣か、コーナーブロックおよびマットレスフレームの間の介在層の上部かに位置決めされるか、次の層／材料によって覆われるか、またはマットレスコーナーの外面上に露出するように位置決めされるか、のいずれであっても、少なくとも１つの本発明のコーナーブロックをマットレスのコーナーに位置決めする工程を含む任意の工程を採用してもよい。また本発明のコーナーブロックは、マットレスまたはマットレスフレームのコーナーに取り付けられても取り付けられなくてもよい。
【図面の簡単な説明】
【００３５】
本発明は、添付の例示の図面を参照することでさらに良く理解することができる。図中類似の参照指示は類似の部分を意味し、種々図面は寸法通りに必ずしも描かれていない。
【図１Ａ】本発明の例示の実施形態に従って、マットレスに補強した矩形コーナーを提供するためのコーナーブロックの頂面図である。
【図１Ｂ】図１Ａのコーナーブロックの外側斜視図である。
【図１Ｃ】図１Ａのコーナーブロックの内側斜視図である。
【図１Ｄ】図１Ａのコーナーブロックの内側斜視図であり、本発明の別の例示の実施形態に従った追加のカットアウトを含む。
【図２Ａ】本発明のコーナーブロックを含むマットレスを製作するための例示の工程を示す。
【図２Ｂ】本発明のコーナーブロックを含むマットレスを製作するための例示の工程を示す。
【図２Ｃ】本発明のコーナーブロックを含むマットレスを製作するための例示の工程を示す。
【図２Ｄ】本発明のコーナーブロックを含むマットレスを製作するための例示の工程を示す。
【図２Ｅ】本発明のコーナーブロックを含むマットレスを製作するための例示の工程を示す。
【図２Ｆ】本発明のコーナーブロックを含むマットレスを製作するための例示の工程を示す。
【図２Ｇ】本発明のコーナーブロックを含むマットレスを製作するための例示の工程を示す。
【図２Ｈ】本発明のコーナーブロックを含むマットレスを製作するための例示の工程を示す。
【図３】本発明の代替の実施形態を示す。
【図４】本発明の別の代替の実施形態を示す。
【図１Ａ】
2009531144.tif 000003
【図１Ｂ】
2009531144.tif 000004
【図１Ｃ】
2009531144.tif 000005
【図１Ｄ】
2009531144.tif 000006
【図２Ａ】
2009531144.tif 000007
【図２Ｂ】
2009531144.tif 000008
【図２Ｃ】
2009531144.tif 000009
【図２Ｄ】
2009531144.tif 000010
【図２Ｅ】
2009531144.tif 000011
【図２Ｆ】
2009531144.tif 000012
【図２Ｇ】
2009531144.tif 000013
【図２Ｈ】
2009531144.tif 000014
【図３】
2009531144.tif 000015
【図４】
2009531144.tif 000016
【国際調査報告】
2009531144.tif 000017
2009531144.tif 000018
2009531144.tif 000019